(57)【要約】【課題】ティシュペーパーの使用後には、満足のいく品質を備えたペーパークラフトを楽しむことができるティシュカートンパックを提供する。【解決手段】複数のティシュカートンがまとめて包装されているティシュカートンパックにおいて、前記複数のティシュカートンのうちの少なくとも２個以上に別れて、単一のペーパークラフトキットを構成するピースが配置されているペーパークラフト付ティシュカートンパック。【選択図】図２
2008030767.tif 000002
【特許請求の範囲】
【請求項１】
複数のティシュカートンがまとめて包装されているティシュカートンパックにおいて、
前記複数のティシュカートンのうちの少なくとも２個以上に別れて、単一のペーパークラフトキットを構成するピースが配置されているペーパークラフト付ティシュカートンパック。
【請求項２】
前記ピースが各ティシュカートンの底面に形成されている請求項１に記載のティシュカートンパック。
【請求項３】
前記ピースの切り取り線に沿って、あらかじめハーフカットされているかまたはミシン目が形成されている請求項１又は２に記載のティシュカートンパック。
【請求項４】
少なくとも１個のティシュカートンに前記ペーパークラフトキットの組み立て説明書きが記載されている請求項１〜３のいずれか一項に記載のティシュカートンパック。
【請求項５】
少なくとも１個のティシュカートンに前記ペーパークラフトキットの組み立て後のペーパークラフト造形物図が記載されている請求項１〜４のいずれか一項に記載のティシュカートンパック。
【発明の詳細な説明】
【技術分野】
【０００１】
本発明は複数のティシュカートンがまとめて包装されているティシュカートンパックに関する。
【背景技術】
【０００２】
ティシュカートンは、ティシュペーパーを包装するものであり、内容物であるティシュペーパーを使い終わるとゴミとして廃棄されるものである。使用後のティシュカートンの再利用を図るために、カートン底面等に料理方法等を掲載する技術が提案されている。しかしながら、料理方法をティシュカートンに掲載するのは、（１）ティシュペーパーは、料理とは関連性が少ない、（２）ティシュカートンの特長を生かした使用法でも無い、ということから必然性に乏しく、ティシュペーパー使用後のティシュカートンの有効な利用法とは言い難い。
【０００３】
紙製品を本来の目的とは異なった目的でも使用するために、該紙製品にペーパークラフトを印刷する技術が提案されている。ここで、ペーパークラフトとは、紙にデザインを印刷し、所定の大きさに切り離した後に組み立てて、目的の造形物とするものである。
【０００４】
また、近年ではインターネット上でペーパークラフトのデザインが無料で開示され、一般家庭でも紙に印刷をすると容易に、好みのペーパークラフトを制作することが可能となった。しかしながら、一般の印刷機では厚手の紙でも坪量１５０〜２００ｇ／ｍ２のものを印刷する程度であり、坪量３００ｇ／ｍ２以上ともなると、紙送りが困難となっていた。したがって、十分な強度のある、玩具として耐えることが可能であり、デザイン性に優れたペーパークラフトを一般家庭で制作することは困難であった。
【０００５】
特許文献１には、ペーパークラフト付の封筒が開示されている。この技術では、ペーパークラフト付の封筒によりダイレクトメールなどの開封率を高めることが期待されている。しかしながら、封筒では紙に十分なコシがないことから、満足のいく堅牢なペーパークラフト造形物を制作することは困難である。また、ペーパークラフトを構成するピース面積も多く取ることが出来ず、組み立て後のペーパークラフト造形物も小型のものに留まる。
【０００６】
また、紙相撲のピースが設けられている紙箱が開示されている（特許文献２、特許文献３、特許文献４）。これらは一つの箱に紙相撲一式を構成するピースを配置しているために、各ピースが切り取られて精々折り目で折られるのみであり、組み立てられることがないために、複雑な形の紙玩具にはなり得ず、造形物を制作する喜びという点からは、使用者に対して、十分な満足感を与えているとは言い難い。
【０００７】
また、ティシュカートンに紙飛行機のピースを配置する技術が開示されている（特許文献５）。この技術では、ティシュカートンに印刷されたピースを組み立てることで立体的な紙飛行機を制作することが出来る。そして、ティシュカートン全面を使用して紙飛行機のピースを配置しており、ピース数の点において、使用者の制作意欲を十分喚起するものである。また、紙飛行機には所定の強度が必要であるところ、ティシュカートンは十分な強度を有しており、この点からも、この技術はティシュカートンの有効活用技術であると言うことができる。
【特許文献１】特開２００４−１４９１６２号公報
【特許文献２】実開昭５２−１５９８５３号公報
【特許文献３】実開平６−４７１６９号公報
【特許文献４】実用新案登録第３０５５７９０号公報
【特許文献５】実開平１−１４７９８０号公報
【発明の開示】
【発明が解決しようとする課題】
【０００８】
一般消費者がティシュペーパーを購入する際、ティシュカートンの上面及び側面のデザインが商品選択の重要なポイントである。しかしながら、上記特許文献５に開示の技術では、ティシュカートン全面を使用して紙飛行機のピースを配置する必要があるために、デザインの固定化を招き、十分な顧客吸引性を発揮できないという問題を有する。
【０００９】
本発明は、このような従来技術の有する問題点に鑑みてなされたものであり、その課題とするところは、ティシュペーパーの使用後には、満足のいく品質を備えたペーパークラフトを楽しむことができるティシュカートンパックを提供することにある。さらには、消費者の目に触れやすい部分に多様なデザインを施すことが可能であり、かつ、ティシュペーパーの使用後にはペーパークラフトを楽しむことも可能であるティシュカートンパックを提供することを目的とする。
【課題を解決するための手段】
【００１０】
本発明者らは上記課題を達成すべく鋭意検討した結果、複数のティシュカートンに別けて、単一のペーパークラフトを構成するピースを配置することによって、上記課題を達成することが可能であることを見出し、本発明を完成するに至った。
【００１１】
即ち、本発明によれば、以下に示すティシュカートンパックが提供される。
【００１２】
［１］  複数のティシュカートンがまとめて包装されているティシュカートンパックにおいて、前記複数のティシュカートンのうちの少なくとも２個以上に別れて、単一のペーパークラフトを構成するピースが配置されているペーパークラフトキット付ティシュカートンパック。
【００１３】
［２］  前記ピースが各ティシュカートンの底面に形成されている上記［１］に記載のティシュカートンパック。
【００１４】
［３］  前記ピースの切り取り線に沿って、あらかじめハーフカットされているかまたはミシン目が形成されている上記［１］又は［２］に記載のティシュカートンパック。
【００１５】
［４］  少なくとも１個のティシュカートンに前記ペーパークラフトの組み立て説明書きが記載されている上記［１］〜［３］のいずれかに記載のティシュカートンパック。
【００１６】
［５］  少なくとも１個のティシュカートンに前記ペーパークラフトの組み立て後のペーパークラフト造形物図が記載されている上記［１］〜［４］のいずれかに記載のティシュカートンパック。
【発明の効果】
【００１７】
本発明のティシュカートンパックのペーパークラフトキットは、ピースが５個パック、３個パックなどのパック品の複数個のカートンに別れて形成されているために、各ピースの大きさ及びピース数を充実させることができる。したがって、形状が複雑であり、迫力のある大きさのペーパークラフト造形物を制作することが可能である。
【００１８】
本発明の一実施態様においては、各ピースが各ティシュカートンの底面に形成されている。この実施態様によれば、ティシュカートンの上面及び側面のデザインの自由度が高いため、購入者がティシュペーパーを選択する際の重要なポイントとなる、ティシュカートンの上面及び側面のデザインを損ねることがないという特長とピース数が充実した造形物を制作することが可能なペーパークラフトキットを提供できるという特長とを併せ持つ。
【００１９】
本発明の他の実施態様においては、各ピースの切り取り線に沿って、あらかじめハーフカットされているかまたはミシン目が形成されている。この実施態様によれば、消費者のペーパークラフト制作の一助となる。
【００２０】
本発明のさらに別の実施態様においては、少なくとも１個のティシュカートンにペーパークラフトキットの組み立て説明書きが記載されている。この実施態様によってもまた、消費者のペーパークラフト制作の一助となる。
【００２１】
本発明のさらに別の実施態様においては、少なくとも１個のティシュカートンにペーパークラフトキットの組み立て後のペーパークラフト造形物図が記載されている。この実施態様においても、上記と同様に消費者のペーパークラフト制作の一助となる。これに加えて、ペーパークラフト造形物図を外部から見える場所に具備する場合には、ペーパークラフト造形物図のデザイン自体の美しさによる顧客吸引力に加えて、制作したいペーパークラフト付きのティシュペーパーを選択可能であるというティシュペーパー購入時の選択の動機付けの一つとなる。
【発明を実施するための最良の形態】
【００２２】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２３】
［ティシュカートン］
本明細書中、ティシュカートンとは、ティシュペーパーを包装する箱状包装物をいう。本発明のティシュカートンの材質、形状については、ティシュカートンの材質、形状として広く知られているものを用いることができる。詳しくは、本発明に用いるティシュカートンの材質として、紙を用いることができる。この紙は、木材パルプまたは回収紙を原料として製造することができる。厚さ３５０〜５００μｍ、坪量３００〜４５０ｇ／ｍ２のものが広く用いられており、厚さ３５０〜４００μｍ、坪量３００〜４００ｇ／ｍ２のものが好ましい。ティシュカートンはあまり薄いと包装箱としての機能が低下し、内容物であるティシュペーパーを取り出しにくくなるという問題が発生する。また、あまり厚みが厚くなると、組み立てたペーパークラフトの強度は高くなるが、組み立てる際に、紙が曲がりにくいなどの問題が発生し、消費者が扱い難いという問題のほかに、組み立てることが可能なペーパークラフトの種類を限定してしまうという問題が生じてしまう。また、通常、ティシュカートン原紙は表面にニス塗布を行い、デザイン性を高めている。
【００２４】
［ティシュカートンパック］
本明細書中、ティシュカートンパックとは、複数のティシュカートンを包装材で一体包装したものをいう。通常は、３個又は５個のティシュカートンを鉛直方向に積重し、一体包装して、その上面に運搬用の把手を配置して形成される。包装材の材質としては、通常、樹脂フィルムが用いられる。この樹脂フィルムとしては、ポリエチレン、ポリプロピレン等が用いられるが、延伸性、強度の点でポリエチレンが好ましい。フィルムの厚さは１５〜３０μｍとするのが好ましい。ティシュカートンは３個組みでパックになっていても良いし、５個組みでパックになっていても良い。一般的には５個組みで販売される場合が多い。
【００２５】
［ペーパークラフトキット］
一般に、ペーパークラフトとは、１枚又は複数枚の紙を切り取り線に沿って切り抜いたピース（部品）を、折り目に沿って折り曲げて、一のピース単独で、又は複数のピースを組み合わせて所定の部位を接着剤等により固定して所定の造形物を制作するものである。本明細書中ペーパークラフトキットとは、一の造形物を構成するために必要とされるピースを全て含む１枚または複数枚の印刷物をいう。本発明におけるティシュカートンには、単一のペーパークラフトキットを構成するために必要なピースの一部が印刷されている。そして、単一のペーパークラフトキットが完成するように複数のティシュカートンが集められ、一緒に包装され、本発明のティシュカートンパックが形成される。
【００２６】
［底面］
本発明においては、ペーパークラフトキットの各ピースが各ティシュカートンの底面に形成されているのが好ましい。本発明のティシュカートンパックはまた、単一のペーパークラフトが完成するために必要なピースが印刷されたティシュカートン以外のティシュカートンを含んでも良い。このティシュカートンには後述の組み立て説明書きが記載されていても良く、また、後述のペーパークラフト造形物図が記載されていても良い。
【００２７】
図２（ａ）〜（ｅ）は本発明の一実施態様である５個組みのティシュカートンパックに含まれる各ティシュカートン箱ａ〜ｅの底面の印刷例である。箱ａ〜ｃには一の自動車ペーパークラフトキットを構成するためのピースが印刷されている。これらのピースは切り取り線で囲まれており、所定の位置に折り目となる線が入れられている。箱ａには自動車の両側面となる右側面ピース１と左側面ピース２が印刷されている。箱ｂには自動車のフロントグリル、ボンネット、フロントガラス、屋根、リアガラス、リアトランク及びリアグリルが一体となった中央部ピース３が印刷されている。箱ｃには、自動車の底面となる底面ピース４と４個のタイヤとなるタイヤピース５が印刷されている。これらのピースから自動車ペーパークラフト造形物を制作することができる。
【００２８】
図２（ａ）〜（ｅ）の本発明の一実施態様である５個組みのティシュカートンパックに含まれる各ティシュカートンの裏面は、それぞれ多色印刷しても良いし、単色印刷しても良い。単色印刷する一実施態様においては、箱ａを赤色、箱ｂを茶色、箱ｃを灰色で単色印刷することができる。このように構成した場合、ティシュカートンの印刷の際に、各ティシュカートンを単色印刷とすることにより印刷工程を減らすことが可能となり、安価に製造することが可能となる一方、組み立てられたペーパークラフトは多色構成となり、デザイン性に優れたものとなるので好ましい。なお、この実施態様においては、ペーパークラフトのピースをａ〜ｃの３個のティシュカートンに分けて印刷しているが、４個や５個に分けて印刷しても良い。
【００２９】
また、上記の実施形態においては、箱ａ〜ｅのうち、箱ａ〜ｃの底面にペーパークラフトキットのピース１〜５を形成したが、箱ａ〜ｅの底面にそれぞれ１ピースずつ形成するようにしても良い。この場合には、箱ａ〜ｅを使い切らなければ、ペーパークラフトを制作できず、消費者が箱ａ〜ｅを使い切る前に不必要に他のティシュカートンパックを購入することを防止でき、環境上、有効である。
【００３０】
［ハーフカット及びミシン目］
本発明におけるティシュカートンにおいては、各ピースが切り取り線に沿ってハーフカットされていても良く、ミシン目が入れられていても良い。ハーフカット又はミシン目を施す方法としては、従来広く知られた方法を用いることができる。例えば、刃物又はレーザーによってハーフカット又はミシン目を施すことができる。
【００３１】
［組み立て説明書き］
本明細書中、組み立て説明書きとは、ペーパークラフトを制作するために役立つ図及び／又は文章を指す。本発明のティシュカートンパックには、組み立て説明書きが記載されたティシュカートンを含めることができる。組み立て説明書きはティシュカートンの裏面に記載されているのが好ましい。組み立て説明書きには、ペーパークラフトの制作に当たって準備する道具、ペーパークラフトを組み立てる順番、ペーパークラフトを組み立てる際の注意点等が適宜記載されている。
【００３２】
図２（ａ）〜（ｅ）中、箱ｄにはこの自動車ペーパークラフトキットを制作するために役立つ組み立て図及び文章からなる組み立て説明書き６が記載されている。組み立て説明書き６には、例えば、この自動車ペーパークラフトを制作する際に、どのような道具を用意しておけば作業が行いやすいであるとか、自動車本体とタイヤとは別々に組み立てて、それぞれ接着剤で固定し、接着剤が十分乾いた後に組み合わせるべきである旨が図解されている。
【００３３】
なお、組み立て説明書きは必ずしも１個のティシュカートンに記載されている必要はなく、２個以上のカートンに別れて記載されていても良い。また逆に、本発明のティシュカートンパックには、組み立て説明書きが記載されたティシュカートンが含まれていなくても良い。この場合、インターネット上で組み立て説明書きを公開しても良い。
【００３４】
［ペーパークラフト造形物図］
本明細書中、ペーパークラフト造形物図とは、ペーパークラフトキットを組み立てて完成したペーパークラフト造形物を二次元又は三次元に表した絵図又は写真を指す。本発明のティシュカートンパックには、ペーパークラフト造形物図が記載されたティシュカートンを含めることができる。
【００３５】
ペーパークラフト造形物図は、ティシュカートンの底面に記載することができる。この場合、ティシュカートンの上面又は側面には自由なデザインを施すことができる。また、ペーパークラフト造形物図は、ティシュカートンの上面又は側面に記載することもできる。この場合には、ペーパークラフト造形物図が顧客吸引性を発揮する。さらにまた、複数のティシュカートンにまたがって、ティシュカートンパック全体の側面にペーパークラフト造形物図を記載することもできる。このように構成することにより迫力のある造形物図とすることができ、より強力な顧客吸引性を発揮することが期待できる。
【００３６】
図１は本発明の一実施態様であるティシュカートンパック全体の斜視図である。このティシュカートンパックには、全体の側面にわたってペーパークラフト造形物図７としての自動車の絵図が記載されている。この自動車の絵図は、デザインそのものの美しさにより消費者の購入意欲を喚起するとともに、このティシュカートンパックに含まれるティシュカートンに記載されたペーパークラフトキットを組み立てることにより得られるペーパークラフト造形物である自動車を表示するものである。したがって、この絵を見てこのペーパークラフトを制作したいと思った消費者の購入意欲をそそるものでもある。
【００３７】
図１では、複数のティシュカートンにまたがってペーパークラフト造形物図を記載しているが、単一のティシュカートンのみに記載しても良い。単一のティシュカートンにのみ記載する場合は、他のティシュカートンのデザインをペーパークラフトと無縁のデザインにすることが出来て、ティシュカートンのデザインの選択肢が増え、ティシュカートンパックをそれぞれ単一のティシュカートンとしたときのティシュカートンのデザイン性が損なわれることがない。また、完成したペーパークラフト造形物を記載するティシュカートンは多色印刷の必要性が出るが、１個のティシュカートンのみに記載した場合、他のティシュカートンは単色印刷でも問題が無くなるため、製造が容易となる。
【００３８】
また、図２（ａ）〜（ｅ）中、箱ｅにもまた完成した自動車の図が記載されている。この図は完成したペーパークラフト自動車をディスプレイする際の参考ともなる図である。
【００３９】
［製造方法］
図１及び２（ａ）〜（ｅ）のティシュカートン及びティシュカートンパックは従来公知の方法で製造することができる。簡単に説明すると、ティシュカートン原紙に所定のデザインを印刷し、ティシュペーパー取り出し口や、場合によってはペーパークラフトのデザイン周辺に沿って、ミシン目やハーフカットをパターンカッターで施す。ティシュペーパー取り出し口にフィルムを配置する場合は、ティシュペーパー取り出し口の裏面側の取り出し口周辺に接着剤を塗布し、スリットの入ったフィルムを取り付ける。次に、平板のティシュカートンの折り曲げ位置に折り曲げ線を形成し、所定の大きさにカットする。さらに、一端部同士を貼り合わせることで、筒状にした上で、筒の中に折り畳んだ複数枚のティシュペーパーを詰める。その後で、筒の左右両側部を閉じて、接着剤で留めて箱型とする。このように形成さえれた箱型のティシュカートンを所定の数に合わせて、包装材としてのフィルムを巻き付け、接着剤で留める。さらに上面に取っ手を取り付けて、ティシュカートンパックとする。
【産業上の利用可能性】
【００４０】
本発明は、ティシュペーパーの使用後には、満足のいく品質を備えたペーパークラフトを楽しむことができるティシュカートンパックを提供する。
【図面の簡単な説明】
【００４１】
【図１】本発明の一実施形態に係るティシュカートンパックの斜視図である。
【図２】（ａ）〜（ｅ）本発明の一実施形態に係るティシュカートンパックを構成する各ティシュカートン箱ａ〜ｅの底面の図である。
【符号の説明】
【００４２】
１：左側面ピース、２：右側面ピース、３：中央部ピース、４：底面ピース、５：タイヤピース、６：組み立て説明書き、７：ペーパークラフト造形物図
【図１】
2008030767.tif 000003
【図２】
2008030767.tif 000004